(57)【要約】  電子デバイスは、第１のガンマ補正部を含む少なくとも１つのガンマ補正部を含む。一実施形態においては、第１のガンマ補正部は、電子デバイスが製造された後で、第１のガンマ補正部に対するガンマ関数を変更できるように構成された少なくとも１つのタップを含む。別の実施形態は、第１のガンマ補正部に対して第１のガンマ関数が使用される第１の期間中にアレイを動作させる、電子デバイスを使用する処理方法である。この方法は、第１のガンマ関数を第２のガンマ関数に変更するステップも含む。この方法は、第１のガンマ補正部に対して第２のガンマ関数が使用される第２の期間中にアレイを動作させるステップをさらに含む。データ処理システム読み取り可能な記録媒体は、この方法を実行するための命令を含むコードを有する。
2008527423.tif 000002
【特許請求の範囲】
【請求項１】
第１のガンマ補正部を含む電子デバイスであって、前記第１のガンマ補正部は、前記電子デバイスが製造された後で前記第１のガンマ補正部に対するガンマ関数を変更できるように構成された少なくとも１つのタップを含むことを特徴とする電子デバイス。
【請求項２】
前記少なくとも１つのタップが、前記電子デバイスのエンドユーザーによって前記タップにおける信号を変更できるように構成されていることを特徴とする請求項１に記載の電子デバイス。
【請求項３】
前記少なくとも１つのタップ上の信号が自動的に変更されるように構成されていることを特徴とする請求項１に記載の電子デバイス。
【請求項４】
前記第１のガンマ補正部が、第１のタップおよび第２のタップをさらに含み：
前記第１のタップは、前記第１のガンマ補正部に対する第１の出力値に対して第１の最低値を提供し；
前記第２のタップは、前記第１のガンマ補正部に対する前記第１の出力値に対して第１の最高値を提供し；
前記少なくとも１つのタップは、前記第１のガンマ補正部に対する前記第１の出力値に対して第１の中間値を提供する第３のタップを含み：
前記第１の中間値は、前記第１の最低値と前記第１の最高値との間にあり；
前記第３のタップは、前記電子デバイスが製造された後で前記第１の中間値を変更できるように構成されていることを特徴とする請求項１に記載の電子デバイス。
【請求項５】
前記少なくとも１つのタップが、前記第１の出力値に対して追加の第１の中間値を提供する第４のタップをさらに含み；
前記追加の第１の中間値は、前記第１の最低値と前記第３のタップの前記第１の中間値との間にあるか、または前記第３のタップの前記第１の中間値と前記第１の最高値との間にあり；
前記第４のタップは、前記電子デバイスが製造された後で前記追加の第１の中間値を変更できるように構成されていることを特徴とする請求項４に記載の電子デバイス。
【請求項６】
前記電子デバイスが、第２のガンマ補正部および第３のガンマ補正部を含み；
前記第２のガンマ補正部が、第４のタップ、第５のタップ、および第６のタップを含み：
前記第４のタップは、第２の出力値に対して第２の最低値を提供し；
前記第５のタップは、前記第２の出力値に対して第２の最高値を提供し；
前記第６のタップは、前記第２の出力値に対して第２の中間値を提供し：
前記第２の中間値は、前記第２の最低値と前記第２の最高値との間にあり；
前記第６のタップは、前記電子デバイスが製造された後で前記第２の中間値を変更できるように構成されており；
前記第３のガンマ補正部が、第７のタップ、第８のタップ、および第９のタップを含み：
前記第７のタップは、第３の出力値に対して第３の最低値を提供し；
前記第８のタップは、前記第３の出力値に対して第３の最高値を提供し；
前記第９のタップは、前記第３の出力値に対して第３の中間値を提供し：
前記第３の中間値は、前記第３の最低値と前記第３の最高値との間にあり；
前記第９のタップは、前記電子デバイスが製造された後で前記第３の中間値を変更できるように構成されていることを特徴とする請求項４に記載の電子デバイス。
【請求項７】
前記第１のガンマ補正部に対応する第１の有機活性層と；
前記第２のガンマ補正部に対応する第２の有機活性層と； 
前記第３のガンマ補正部に対応する第３の有機活性層とをさらに含み；
前記第２の有機活性層は前記第１の有機活性層とは異なり；
前記第３の有機活性層は、前記第１の有機活性層とも前記第２の有機活性層とも異なることを特徴とする請求項６に記載の電子デバイス。
【請求項８】
フルカラーＯＬＥＤディスプレイの一部である放射線放出部品のアレイをさらに含むことを特徴とする請求項７に記載の電子デバイス。
【請求項９】
放射線放出部品のアレイと、第１のガンマ補正部とを含む電子デバイスを使用する処理方法であって：
第１の期間中に前記アレイを動作させるステップであって、前記第１の期間中に前記第１のガンマ補正部に対して第１のガンマ関数が使用されるステップと；
前記第１のガンマ関数を、前記第１のガンマ関数とは異なる第２のガンマ関数に変更するステップと；
第２の期間中に前記アレイを動作させるステップであって、前記第２の期間中に前記第１のガンマ補正部に対して前記第２のガンマ関数が使用されるステップと
を含むことを特徴とする処理方法。
【請求項１０】
前記第１のガンマ関数を前記第２のガンマ関数に変更するステップが、前記電子デバイスのエンドユーザーによって行われることを特徴とする請求項９に記載の方法。
【請求項１１】
前記第１のガンマ関数を前記第２のガンマ関数に変更するステップが、前記電子デバイスによって自動的に行われることを特徴とする請求項９に記載の方法。
【請求項１２】
放射線放出部品のアレイと第１のガンマ補正部とを含む電子デバイスを使用するためのコードを有するデータ処理システム読み取り可能な記録媒体であって、前記コードは、前記データ処理システム読み取り可能な記録媒体内に組み込まれ、前記コードが：
第１の期間中に前記アレイを動作させるための命令であって、前記第１の期間中に前記第１のガンマ補正部に対して第１のガンマ関数が使用される命令と；
前記第１のガンマ関数を、前記第１のガンマ関数とは異なる第２のガンマ関数に変更するための命令と；
第２の期間中に前記アレイを動作させるための命令であって、前記第２の期間中に前記第１のガンマ補正部に対して第２のガンマ関数が使用される命令と
を含むことを特徴とするデータ処理システム読み取り可能な記録媒体。
【請求項１３】
前記第１のガンマ関数を第２のガンマ関数に変更するための前記命令が、前記第１のガンマ補正部に対する最低値、前記第１のガンマ補正部に対する最高値、前記第１のガンマ補正部に対するガンマ値、またはそれらの組み合わせを変更するための命令を含むことを特徴とする請求項１２に記載のデータ処理システム読み取り可能な記録媒体。
【請求項１４】
前記第１のガンマ補正部が：
第１の出力値に対して第１の最低値を提供する第１のタップと；
前記第１の出力値に対して第１の最高値を提供する第２のタップと；
前記第１の出力値に対して第１の中間値を提供する第３のタップとを含み、前記第１の中間値が、前記第１の最低値と前記第１の最高値との間にあり；
前記第１のガンマ関数を前記第２のガンマ関数に変更するための前記命令が、前記第１の中間値を変更するための命令を含むことを特徴とする請求項１２に記載のデータ処理システム読み取り可能な記録媒体。
【請求項１５】
前記第１のガンマ補正部が、前記第１の出力値に対して追加の第１の中間値を提供する第４のタップをさらに含み；
前記追加の第１の中間値は、前記第１の最低値と前記第３のタップの前記第１の中間値との間にあるか、または前記第３のタップの前記第１の中間値と前記第１の最高値との間にあることを特徴とする請求項１４に記載のデータ処理システム読み取り可能な記録媒体。
【請求項１６】
前記第１のガンマ関数を前記第２のガンマ関数に変更するための前記命令が、前記追加の第１の中間値を変更するための命令をさらに含むことを特徴とする請求項１５に記載のデータ処理システム読み取り可能な記録媒体。
【請求項１７】
前記電子デバイスが、第２のガンマ補正部および第３のガンマ補正部をさらに含み；
前記第１の期間中に、前記第２のガンマ補正部に対して第３のガンマ関数、および前記第３のガンマ補正部に対して第４のガンマ関数が使用され；
前記第２の期間中に、前記第２のガンマ補正部に対して前記第３のガンマ関数、および前記第３のガンマ補正部に対して前記第４のガンマ関数が使用されることを特徴とする請求項１２に記載のデータ処理システム読み取り可能な記録媒体。
【請求項１８】
前記電子デバイスが、第２のガンマ補正部および第３のガンマ補正部をさらに含み；
前記第１の期間中に、前記第２のガンマ補正部に対して第３のガンマ関数、および前記第３のガンマ補正部に対して第４のガンマ関数が使用され；
前記第１のガンマ関数を前記第２のガンマ関数に変更するための前記命令が、前記第２の期間中に前記アレイを動作させるための命令の前に、前記第３のガンマ関数を第５のガンマ関数に変更するための命令、前記第４のガンマ関数を第６のガンマ関数に変更するための命令、またはその両方を実行するための命令をさらに含むことを特徴とする請求項１２に記載のデータ処理システム読み取り可能な記録媒体。
【請求項１９】
前記電子デバイスが、第２のガンマ補正部および第３のガンマ補正部をさらに含み；
前記アレイが：
前記第１のガンマ補正部に対応する第１の有機活性層と；
前記第２のガンマ補正部に対応する第２の有機活性層と；
前記第３のガンマ補正部に対応する第３の有機活性層とを含み、
前記第２の有機活性層は前記第１の有機活性層とは異なり；
前記第３の有機活性層は、前記第１の有機活性層とも前記第２の有機活性層とも異なることを特徴とする請求項１２に記載のデータ処理システム読み取り可能な記録媒体。
【請求項２０】
前記アレイがフルカラーＯＬＥＤディスプレイの一部であることを特徴とする請求項１９に記載のデータ処理システム可読記憶媒体。
【発明の詳細な説明】
【技術分野】
【０００１】
本発明は、一般に、電子デバイスに関し、特に、ガンマ補正部を含む電子デバイス、それらの電子デバイスを使用する処理方法、および本発明の方法の少なくとも一部を実行するための命令を含むコードを有するデータ処理システム読み取り可能な記録媒体に関する。
【背景技術】
【０００２】
１９９０年代初期から有機電子デバイスには大きな関心が持たれている。有機電子デバイスの例としては、ポリマー発光ダイオード（「ＰＬＥＤ」）と小分子有機発光ダイオード（「ＳＭＯＬＥＤ」）とを含む有機発光ダイオード（「ＯＬＥＤ」）が挙げられる。ＯＬＥＤディスプレイなどのディスプレイデバイスは、現代人の生活において重要な役割を果たしている。コンピュータ処理、電気通信、家庭向け娯楽、およびネットワーキング技術が１箇所に集中するにつれて、ディスプレイ装置はより重要になってくる。
【０００３】
ディスプレイ分野においては、陰極線管（「ＣＲＴ」）、液晶ディスプレイ（「ＬＣＤ」）などの多くの種類の技術が存在する。ＬＣＤ技術は、現在のフラットパネルディスプレイ市場の主流となっている。図１は、ＬＣＤディスプレイとともに使用される従来のデータドライバ１００のブロック図を含んでいる。
【０００４】
図１は、データドライバ１００のブロック図を含んでいる。赤、緑、および青の電子部品のための、外部デジタルビデオ入力からのＲ、Ｇ、およびＢのデータは、データ制御部１０２によって受信され、データラッチ部１２２に送られる。アドレスシフトレジスタ１０４は、外部イネーブル信号、シフト方向信号、およびシフトクロック信号を受信する。外部イネーブル信号は、アドレスシフトレジスタ１０４をイネーブルにするために使用される。シフト方向信号は、シフト方向を制御する（走査線１から走査線ｎまで、または走査線ｎから走査線１まで）。シフトクロック信号によって基準タイミング信号が提供され、それによって従来のデータドライバ１００の活動を調整することができる。データラッチ部１２２は、ラッチイネーブル信号およびロード信号も受信する。データラッチ部１２２は、格納レジスタを含む場合もあるし、含まない場合もある。格納レジスタが存在する場合は、個別のデータラッチからそれらの対応する格納レジスタにデータを転送することができる。ラッチイネーブル信号は、データラッチ部１２２内の個別のデータラッチ（または、存在する場合には格納レジスタ）をイネーブルにするために使用され、ロード信号は、各データラッチの捕捉データをデジタル−アナログ（「Ｄ／Ａ」）変換器１２４に出力することができる。Ｄ／Ａ変換器１２４は、ガンマ補正部１４２および極性インバータ１４４からの信号も受信する。Ｄ／Ａ変換器１２４からの出力は、出力信号ドライバ１２６によって受信され、これはデータラインに沿って、ディスプレイのアレイ内の電子部品に送信することができる。データドライバ１００の動作は従来通りである。
【０００５】
ガンマ補正部１４２に関して、ユーザーが見たい強度または希望する強度により一致させるために、ディスプレイおよびプリンタがガンマ関数を使用する。たとえば、画像の場合、ディスプレイ上または紙上で人が見る画像を、その画像が実際に捕捉された（たとえば、写真が撮影された）ときにその人がいた場合の強度に一致させることができるガンマ関数を、ガンマ補正部が提供することができる。ガンマ関数を使用したガンマ補正が従来のものである。ガンマ補正部は、画像に対応した入力信号を受信し、式１によって与えられるガンマ値に部分的に基づいた出力信号（Ｖo）を発生させる。
出力信号＝（入力信号）γ          （式１）
【０００６】
図２は、異なるガンマ値に対する一連の線（直線および曲線）を示している。図２から分かるように、より明るい画像には１未満のガンマが使用され、よりくらい画像には１を超えるガンマが使用される。
【０００７】
ガンマ補正部１４２のガンマ値は、ガンマ補正部が製造されるときに設定されるので、後に変更することはできない。また、ガンマ補正部から最小および最大の出力値も、ディスプレイまたはプリンタが製造されるときに設定されるので、後に変更することはできない。したがって、ガンマ関数は静的なものである。
【０００８】
有機エレクトロルミネッセンスディスプレイの場合、複数のガンマ補正部が提案されている。たとえば、１つのガンマ補正部を、それぞれの色の発光体（たとえば、赤、緑、および青）専用にすることができる。しかし、それでもガンマ関数は静的であり、変更はされない。放射線放出部品内に使用される有機活性層の場合、有機活性層および対応する薄膜ピクセル駆動回路が異なる材料であると異なる速度で劣化しうるので、ガンマ補正部１４２に関する問題がさらに深刻になりうる。
【０００９】
【非特許文献１】ＣＲＣ化学物理ハンドブック（ＣＲＣ  Ｈａｎｄｂｏｏｋ  ｏｆ  Ｃｈｅｍｉｓｔｒｙ  ａｎｄ  Ｐｈｙｓｉｃｓ）第８１版（２０００年）
【発明の開示】
【課題を解決するための手段】
【００１０】
電子デバイスは、第１のガンマ補正部を含む少なくとも１つのガンマ補正部を含む。一実施形態においては、第１のガンマ補正部は、電子デバイスが製造された後で、第１のガンマ補正部に対するガンマ関数を変更できるように構成された少なくとも１つのタップを含む。
【００１１】
別の実施形態においては、放射線放出部品のアレイと第１のガンマ補正部とを含む電子デバイスのために、ある処理方法が使用される。この方法は、第１の期間中にアレイを動作させるステップを含み、第１の期間中に第１のガンマ補正部に対して第１のガンマ関数が使用される。この方法は、第１のガンマ関数を、第１のガンマ関数とは異なる第２のガンマ関数に変更するステップも含む。この方法は、第２の期間中にアレイを動作させるステップをさらに含み、第２の期間中に第１のガンマ補正部に対して第２のガンマ関数が使用される。
【００１２】
さらに別の実施形態においては、データ処理システム読み取り可能な記録媒体は、放射線放出部品のアレイと第１のガンマ補正部とを含む電子デバイスを使用するためのコードを有し、このコードは、データ処理システム読み取り可能な記録媒体内に組み込まれる。このコードは、第１の期間中にアレイを動作させるための命令を含み、第１の期間中に第１のガンマ補正部に対して第１のガンマ関数が使用される。このコードは、第１のガンマ関数を、第１のガンマ関数とは異なる第２のガンマ関数に変更するための命令も含む。このコードは、第２の期間中にアレイを動作させるための命令をさらに含み、第２の期間中に第１のガンマ補正部に対して第２のガンマ関数が使用される。
【００１３】
以上の概略的説明、および以下の詳細な説明は、単に例および説明的なものであり、添付の特許請求の範囲において定義される本発明を限定するものではない。
【００１４】
本発明は、添付の図面において、例として説明されるものであり、これらの図面に限定されるものではない。
【００１５】
当業者であれば分かるように、図面中の要素は、簡単および明瞭を目的として示されており、必ずしも縮尺通りに描かれている訳ではない。たとえば、本発明の実施形態を理解しやすくするために、図面中の一部の要素の寸法が他の要素に対して誇張されている場合がある。
【発明を実施するための最良の形態】
【００１６】
電子デバイスは、第１のガンマ補正部を含む少なくとも１つのガンマ補正部を含む。一実施形態においては、第１のガンマ補正部は、電子デバイスが製造された後で、第１のガンマ補正部に対するガンマ関数を変更できるように構成された少なくとも１つのタップを含む。
【００１７】
別の実施形態においては、タップにおける信号を、電子デバイスのエンドユーザーによって変更できるように、少なくとも１つのタップが構成されている。さらに別の実施形態においては、電子デバイスは、少なくとも１つのタップ上の信号を自動的に変更するように構成されている。
【００１８】
さらに別の実施形態においては、第１のガンマ補正部は、第１のタップおよび第２のタップをさらに含む。第１のタップは、第１のガンマ補正部に対する第１の出力値に対して第１の最低値を提供し、第２のタップは、第１のガンマ補正部に対する第１の出力値に対して第１の最高値を提供する。少なくとも１つのタップは、第１のガンマ補正部に対する第１の出力値に対して第１の中間値を提供する第３のタップを含み、第１の中間値は第１の最低値と第１の最高値との間にある。第３のタップは、電子デバイスが製造された後で第１の中間値を変更できるように構成されている。
【００１９】
特定の一実施形態においては、少なくとも１つのタップは、第１の出力値に対する追加の第１の中間値を提供する第４のタップをさらに含む。この追加の第１の中間値は、第１の最低値と第３のタップの第１の中間値との間にあるか、または第３のタップの第１の中間値と第１の最高値との間にある。第４のタップは、電子デバイスが製造された後で追加の第１の中間値を変更できるように構成されている。
【００２０】
別の特定の実施形態においては、本発明の電子デバイスは、第２のガンマ補正部および第３のガンマ補正部を含む。第２のガンマ補正部は、第４のタップ、第５のタップ、および第６のタップを含む。第４のタップは、第２の出力値に対して第２の最低値を提供し、第５のタップは、第２の出力値に対して第２の最高値を提供し、第６のタップは、第２の出力値に対して第２の中間値を提供し、第２の中間値は、第２の最低値と第２の最高値との間にある。第６のタップは、電子デバイスが製造された後で第２の中間値を変更できるように構成されている。第３のガンマ補正部は、第７のタップ、第８のタップ、および第９のタップを含む。第７のタップは第３の出力値に対して第３の最低値を提供し、第８のタップは第３の出力値に対して第３の最高値を提供し、第９のタップは第３の出力値に対して第３の中間値を提供し、第３の中間値は、第３の最低値と第３の最高値との間にある。第９のタップは、電子デバイスが製造された後で第３の中間値を変更できるように構成されている。
【００２１】
さらなる特定の一実施形態においては、本発明の電子デバイスは、第１のガンマ補正部に対応する第１の有機活性層、第２のガンマ補正部に対応する第２の有機活性層、および第３のガンマ補正部に対応する第３の有機活性層をさらに含み、第２の有機活性層は第１の有機活性層とは異なり、第３の有機活性層は第１の有機活性層とも第２の有機活性層とも異なる。さらに別の特定の実施形態においては、電子デバイスは、第１の出力値、第２の出力値、および第３の出力値を受信するように構成されたＤ／Ａ変換器をさらに含む。
【００２２】
さらなる特定の一実施形態においては、本発明の電子デバイスは、Ｄ／Ａ変換器に結合したデータラッチ部をさらに含む。さらなる特定の一実施形態においては、電子デバイスは、Ｄ／Ａ変換器に結合した出力信号ドライバをさらに含む。さらなる特定の一実施形態においては、電子デバイスは、出力信号ドライバに結合した放射線放出部品のアレイをさらに含む。
【００２３】
一実施形態においては、放射線放出部品のアレイと第１のガンマ補正部とを含む電子デバイスのために、ある方法が使用される。この方法は、第１の期間中にアレイを動作させるステップを含み、第１の期間中に第１のガンマ補正部に対して第１のガンマ関数が使用される。この方法は、第１のガンマ関数を、第１のガンマ関数とは異なる第２のガンマ関数に変更するステップも含む。この方法は、第２の期間中にアレイを動作させるステップをさらに含み、第２の期間中に第１のガンマ補正部に対して第２のガンマ関数が使用される。
【００２４】
別の実施形態においては、第１のガンマ関数を第２のガンマ関数に変更するステップが、電子デバイスのエンドユーザーによって行われる。さらに別の実施形態においては、第１のガンマ関数を第２のガンマ関数に変更するステップが、電子デバイスによって自動的に行われる。さらに別の実施形態においては、第１のガンマ関数を第２のガンマ関数に変更するステップが、第１のガンマ補正部に対する最低値、第１のガンマ補正部に対する最高値、第１のガンマ補正部に対するガンマ値、またはそれらの組み合わせを変更するステップを含む。
【００２５】
さらなる一実施形態においては、第１のガンマ補正部は、第１の出力値に対して第１の最低値を提供する第１のタップ、第１の出力値に対して第１の最高値を提供する第２のタップ、および第１の出力値に対して第１の中間値を提供する第３のタップを含み、第１の中間値は、第１の最低値と第１の最高値との間にある。第１のガンマ関数を第２のガンマ関数に変更するステップは、第１の中間値を変更するステップを含む。
【００２６】
さらなる特定の一実施形態においては、第１のガンマ補正部は、第１の出力値に対して追加の第１の中間値を提供する第４のタップをさらに含む。この追加の第１の中間値は、第１の最低値と第３のタップの第１の中間値との間にあるか、または第３のタップの第１の中間値と第１の最高値との間にある。さらなる特定の一実施形態においては、追加の中間値は、第１のガンマ関数を第２のガンマ関数に変更するステップ中には変更されない。さらに別の特定の実施形態においては、第１のガンマ関数を第２のガンマ関数に変更するステップが、追加の第１の中間値を変更するステップを含む。
【００２７】
さらに別の一実施形態においては、本発明の電子デバイスは、第２のガンマ補正部および第３のガンマ補正部をさらに含む。特定の一実施形態においては、第１の期間中に、第２のガンマ補正部に対して第３のガンマ関数、および第３のガンマ補正部に対して第４のガンマ関数が使用され、第２の期間中に、第２のガンマ補正部に対して第３のガンマ関数、および第３のガンマ補正部に対して第４のガンマ関数が使用される。別の特定の実施形態においては、第１の期間中に、第２のガンマ補正部に対して第３のガンマ関数、および第３のガンマ補正部に対して第４のガンマ関数が使用される。第１のガンマ関数を第２のガンマ関数に変更するステップは、第２の期間中にアレイを動作させる前に、第３のガンマ関数を第５のガンマ関数に変更するステップ、第４のガンマ関数を第６のガンマ関数に変更するステップ、またはその両方のステップをさらに含む。
【００２８】
さらに別の一実施形態においては、本発明の電子デバイスは、第２のガンマ補正部および第３のガンマ補正部をさらに含む。本発明のアレイは、第１のガンマ補正部に対応する第１の有機活性層、第２のガンマ補正部に対応する第２の有機活性層、および第３のガンマ補正部に対応する第３の有機活性層をさらに含み、第２の有機活性層は第１の有機活性層とは異なり、第３の有機活性層は第１の有機活性層とも第２の有機活性層とも異なる。
【００２９】
一実施形態においては、データ処理システム読み取り可能な記録媒体は、放射線放出部品のアレイと第１のガンマ補正部とを含む電子デバイスを使用するためのコードを有し、このコードは、データ処理システム読み取り可能な記録媒体内に組み込まれる。このコードは、第１の期間中にアレイを動作させるための命令を含み、第１の期間中に第１のガンマ補正部に対して第１のガンマ関数が使用される。このコードは、第１のガンマ関数を、第１のガンマ関数とは異なる第２のガンマ関数に変更するための命令も含む。このコードは、第２の期間中にアレイを動作させるための命令をさらに含み、第２の期間中に第１のガンマ補正部に対して第２のガンマ関数が使用される。
【００３０】
別の実施形態においては、第１のガンマ関数を第２のガンマ関数に変更するための命令は、第１のガンマ補正部に対する最低値、第１のガンマ補正部に対する最高値、第１のガンマ補正部に対するガンマ値、またはそれらの組み合わせを変更するための命令を含む。
【００３１】
さらに別の実施形態においては、第１のガンマ補正部は、第１の出力値に対して第１の最低値を提供する第１のタップ、第１の出力値に対して第１の最高値を提供する第２のタップ、および第１の出力値に対して第１の中間値を提供する第３のタップを含み、第１の中間値は、第１の最低値と第１の最高値との間にある。第１のガンマ関数を第２のガンマ関数に変更するための命令は、第１の中間値を変更するための命令を含む。
【００３２】
特定の一実施形態においては、第１のガンマ補正部は、第１の出力値に対して追加の第１の中間値を提供する第４のタップをさらに含む。この追加の第１の中間値は、第１の最低値と第３のタップの第１の中間値との間にあるか、または第３のタップの第１の中間値と第１の最高値との間にある。さらなる特定の一実施形態においては、第１のガンマ関数を第２のガンマ関数に変更するための命令は、追加の第１の中間値を変更するための命令をさらに含む。
【００３３】
さらに別の実施形態においては、本発明の電子デバイスは、第２のガンマ補正部および第３のガンマ補正部をさらに含む。特定の一実施形態においては、第１の期間中に、第２のガンマ補正部に対して第３のガンマ関数、および第３のガンマ補正部に対して第４のガンマ関数が使用される。第２の期間中に、第２のガンマ補正部に対して第３のガンマ関数、および第３のガンマ補正部に対して第４のガンマ関数が使用される。別の特定の実施形態においては、第１の期間中に、第２のガンマ補正部に対して第３のガンマ関数、および第３のガンマ補正部に対して第４のガンマ関数が使用される。第１のガンマ関数を第２のガンマ関数に変更するための命令は、第２の期間中のアレイを動作させるための命令の前に、第３のガンマ関数を第５のガンマ関数に変更するための命令、第４のガンマ関数を第６のガンマ関数に変更するための命令、またはその両方を実行するための命令をさらに含む。
【００３４】
さらに別の特定の実施形態においては、本発明の電子デバイスは、第２のガンマ補正部および第３のガンマ補正部をさらに含む。本発明のアレイは、第１のガンマ補正部に対応する第１の有機活性層、第２のガンマ補正部に対応する第２の有機活性層、および第３のガンマ補正部に対応する第３の有機活性層をさらに含み、第２の有機活性層は第１の有機活性層とは異なり、第３の有機活性層は第１の有機活性層とも第２の有機活性層とも異なる。
【００３５】
以上のいずれの実施形態においても、本発明のアレイはフルカラーＯＬＥＤディスプレイの一部である。
【００３６】
以下に説明する実施形態の詳細を扱う前に、一部の用語について定義または説明を行う。用語「回路」は、適切に接続され、適切な電位が供給される場合に、集合的にある機能を実行する電子部品の集まりを意味することを意図している。回路の一例は、有機電子部品用の薄膜トランジスタ（「ＴＦＴ」）ドライバ回路である。
【００３７】
用語「コード」は、コンピュータなどの機械によって実行可能な形態に現在はある、またはその形態にコンパイルすることができる、１つまたは複数の命令を表す１組の記号を意味することを意図している。さまざまな種類のコードの例は、ソースコード、オブジェクトコード、およびアセンブリコードである。
【００３８】
電子部品、回路、またはその一部に関する用語「接続」は、２つ以上の電子部品、回路、あるいは少なくとも１つの電子部品と少なくとも１つの回路とのあらゆる組み合わせが、それらの間に介在する電子部品を有さないことを意味することを意図している。寄生抵抗、寄生容量、またはその両方は、この定義の目的では電子部品とは見なさない。一実施形態においては、複数の電子部品が互いに電気的に短絡して、実質的に同じ電圧にある場合に、それらの電子部品は接続されている。複数の電子部品を、光ファイバラインを使用して互いに接続すると、このような電子部品の間で光信号を伝送することができる。
【００３９】
用語「結合」は、２つ以上の電子部品、回路、システム、あるいは（１）少なくとも１つの電子部品、（２）少なくとも１つの回路、または（３）少なくとも１つのシステムの少なくとも２つのあらゆる組み合わせの、信号（たとえば、電流、電圧、または光信号）をこれらの間で転送することができるような、接続、連結、または関連づけを意味することを意図している。「結合」の非限定的な例としては、１つまたは複数の、電子部品、回路、または電子部品、または回路と、それらの間で接続された１つまたは複数のスイッチ（たとえば、トランジスタ）との間の直接接続を挙げることができる。
【００４０】
用語「データラッチ部」は、少なくとも一時的にデータを保存する様構成された１つまたは複数の回路を意味することを意図している。
【００４１】
用語「データ処理システム」は、信号（たとえば、電子的、電気的、機械的、電気機械的）、放射線（たとえば、光、マイクロ波など）、またはそれらのあらゆる組み合わせの形態であるデータ入力を処理するために構成された１つまたは複数の部品を意味することを意図している。データ処理システムは、独立型装置（たとえば、パーソナルコンピュータ）であってもよいし、より大きなシステム（たとえば、移動電話）内のサブアセンブリであってもよい。
【００４２】
用語「データ処理システム読み取り可能な記録媒体」は、データ処理システムによって読み取ることができる記録媒体を意味することを意図している。データ処理システム読み取り可能な記録媒体の一例は、コンピュータ読み取り可能な記録媒体である。データ処理システム読み取り可能な記録媒体の例としては、読み出し専用メモリ（「ＲＯＭ」）、ランダムアクセスメモリ（「ＲＡＭ」）、ハードディスク（「ＨＤ」）、データベース、ストレージエリアネットワークシステム（「ＳＡＮＳ」）アレイ、磁気テープ、フロッピーディスク、光学式記憶装置、ＣＤ−ＲＯＭ、またはそれらのあらゆる組み合わせが挙げられる。
【００４３】
用語「Ｄ／Ａ変換器」は、デジタル信号をアナログ信号に変換することができる１つまたは複数の回路を意味することを意図している。
【００４４】
用語「電子部品」は、電気的または電気放射的（ｅｌｅｃｔｒｏ−ｒａｄｉａｔｉｖｅ）（たとえば、電気光学的）機能を果たす回路の最小単位を意味することを意図している。電子部品としては、トランジスタ、ダイオード、抵抗器、コンデンサ、インダクタ、半導体レーザー、光スイッチなどを挙げることができる。電子部品は、寄生抵抗（たとえば、電線の抵抗）または寄生容量（たとえば、異なる電子部品に電気的に接続された２つの導体の間の静電結合であり、これらの導体の間のコンデンサが意図的でないか、偶発的なものである場合）は含まない。
【００４５】
用語「エンドユーザー」は、電子デバイスなどの物品を、その物品を消費のために購入した後で、操作するまたは操作することができる人物を意味することを意図している。エンドユーザーは、物品を新品として販売または再販売することを意図した製造業者、配給業者、小売業者、またはその他の再販業者を含まない。後になってから、エンドユーザーは、十分な時間のあいだ、意図する目的でその物品を使用した後で、物品を中古品または不要品として再販売することができる。
【００４６】
用語「製造」およびその変形は、電子デバイスなどの物品を形成するための方法を意味することを意図している。その物品が実質的に完成し、品質保証試験を行う場合にはその試験を行った後で、製造は終了する。
【００４７】
放射線放出部品のアレイまたはディスプレイに関して言及される場合、用語「フルカラー」は、そのようなアレイまたはディスプレイが、可視光スペクトル内の実質的にあらゆる波長またはすべての波長を放出できることを意味することを意図している。
【００４８】
用語「ガンマ」は、ガンマ補正部への入力に対して応答するガンマ補正部の出力を決定するために使用される直線または曲線、線分の集まり、あるいはそれらの組み合わせを意味することを意図している。
【００４９】
用語「ガンマ補正基準レベル」は、ディスプレイまたはその一部の強度、カラーバランス、またはそれらの組み合わせを調整するために使用することができる１つまたは複数の値を意味することを意図している。ガンマ補正基準レベルは、ガンマ補正部からの出力信号と交換可能に使用することができる。
【００５０】
用語「ガンマ補正部」は、入力信号を受信し、出力信号としてガンマ補正基準レベルを発生する１つまたは複数の回路を意味することを意図している。
【００５１】
用語「ガンマ関数」は、ガンマ補正部への入力信号の関数である、ガンマ補正部からの出力信号の数学的表現を意味することを意図している。
【００５２】
用語「有機活性層」は、１つまたは複数の有機層であって、少なくとも１つの有機層が、それ自体、または異なる材料と接触した場合に、整流接合を形成することができる有機層を意味することを意図している。
【００５３】
用語「出力信号ドライバ」は、電子デバイス内の１つまたは複数の電子部品への信号を駆動する１つまたは複数の回路を意味することを意図している。一実施形態においては、出力信号ドライバは、放射線放出部品などの電子部品のアレイに信号が入る前にその信号を増幅することができる。
【００５４】
用語「放射線放出部品」は、適切なバイアスをかけた場合に、目標とする波長または波長スペクトルの放射線を発する電子部品を意味することを意図している。この放射線は、可視光スペクトル内にある場合もあるし、または可視光スペクトルの外（紫外（「ＵＶ」）または赤外（「ＩＲ」））にある場合もある。放射線放出部品の一例は、発光ダイオードである。
【００５５】
用語「放射線応答部品」は、目標とする波長または波長スペクトルの放射線を検知したりその他の応答をしたりすることができる電子部品を意味することを意図している。この放射線は、可視光スペクトル内にある場合もあるし、または可視光スペクトルの外（ＵＶまたはＩＲ）にある場合もある。放射線検出部品の例は、光検出器、ＩＲセンサー、バイオセンサー、および光起電力セルである。
【００５６】
用語「整流接合」は、半導体層内の接合、または半導体層と異なる材料との間の界面によって形成される接合であって、その接合を介したある一方向で、１種類の電荷キャリアが、反対方向よりも速く流れる接合を意味することを意図している。ダイオードとして使用できる整流接合の一例がｐｎ接合である。
【００５７】
用語「信号」は、電流、電圧、光信号、またはそれらのあらゆる組み合わせを意味することを意図している。信号は、電源からの電圧または電流であってよいし、それ自体が信号を表すこともできるし、他の１つまたは複数の信号、データ、あるいはその他の情報との組み合わせによって信号を表すこともできる。光信号は、１つまたは複数のパルス、強度、またはそれらの組み合わせに基づくことができる。信号は、実質的に一定（たとえば、電源電圧）の場合もあるし、経時により変動する場合もある（たとえば、ある時間においてオンの場合の電圧、別の時間にオフの場合の別の電圧）。
【００５８】
用語「状態」は、ある時点における較正係数に対して使用される情報を意味することを意図している。たとえば、電子デバイスが較正される第１の時間は、初期状態となりうる。電子デバイスが較正される第２の時間は、次の較正までは最も新しい状態となることができ、ここで初期状態は以前の状態となる。第３の較正は、最も新しい状態に対して収集されたデータを含むことができ、第２の較正中に収集された情報は、ここでは以前の状態となりうる。
【００５９】
用語「タップ」は、１つまたは複数の回路またはその一部に信号を提供したり、そこから信号を取り出したりすることができる点を意味することを意図している。
【００６０】
用語「可視光スペクトル」は、約４００〜７００ｎｍに相当する波長を有する放射線スペクトルを意味することを意図している。
【００６１】
本明細書において使用される場合、用語「含んでなる」（ｃｏｍｐｒｉｓｅｓ）、「含んでなること」（ｃｏｍｐｒｉｓｉｎｇ）、「含む」（ｉｎｃｌｕｄｅｓ）、「含むこと」（ｉｎｃｌｕｄｉｎｇ）、「有する」（ｈａｓ）、「有すること」（ｈａｖｉｎｇ）、またはそれらの他のあらゆる変形は、非排他的な包含を扱うことを意図している。たとえば、ある一連の要素を含む方法、プロセス、物品、または装置は、それらの要素にのみに必ずしも限定されるわけではなく、そのような方法、プロセス、物品、または装置に関して明示されず固有のものでもない他の要素を含むことができる。さらに、反対の意味で明記されない限り、「または」（ｏｒ）は、包含的な「または」（ｏｒ）を意味するのであって、排他的な「または」（ｏｒ）を意味するのではない。たとえば、条件ＡまたはＢが満たされるのは、Ａが真であり（または存在する）Ｂが偽である（または存在しない）、Ａが偽であり（または存在しない）Ｂが真である（または存在する）、およびＡおよびＢの両方が真である（または存在する）のいずれか１つによってである。
【００６２】
さらに、明確にする目的のため、および本明細書に記載される実施形態の範囲の概略的な意義を提供するために、「ａ」または「ａｎ」の使用は、「ａ」または「ａｎ」が言及する１つまたは複数の物を記述するために使用される。したがって、「ａ」または「ａｎ」が使用される場合は常に、その記述を１つまたは少なくとも１つを含むとして読むべきであり、他の場合に逆を意味することが明確である場合を除けば、単数形は複数形も含んでいる。
【００６３】
特に定義しない限り、本明細書において使用されるすべての技術的および科学的な用語は、本発明が属する当業者によって一般に理解されているものと同じ意味を有する。本明細書において、本発明の実施形態に好適な方法および材料あるいはその製造方法または使用する処理方法を記載しているが、それらに記載されるものと類似または同等の他の方法および材料を、本発明の範囲から逸脱することなく使用することができる。本明細書において言及されるあらゆる刊行物、特許出願、特許、およびその他の参考文献は、それらの記載内容全体が援用される。記載内容に不一致がある場合は、定義を含めた本明細書が優先される。さらに、材料、方法、および実施例は単に説明的なものであって、限定を意図するものではない。
【００６４】
元素周期表中の縦列に対応する族の番号は、（非特許文献１）に見ることができる「新表記法」（Ｎｅｗ  Ｎｏｔａｔｉｏｎ）の規則を使用している。
【００６５】
本明細書に記載されていない程度の、具体的な材料、処理行為、および回路に関する多くの詳細は従来通りであり、それらは、有機発光ディスプレイ、光検出器、半導体、および超小型電子回路の技術分野の教科書およびその他の情報源中に見ることができる。
【００６６】
（２．代表的なデータドライバ）
ハードウェアの動作を扱う前に、電子デバイスの説明的で非限定的なハードウェア実施形態を説明する。図３は、一実施形態による電子デバイス３００の系統図を含んでいる。ビデオデコーダ３０２は、外部ビデオ信号をデコードするために使用される（全国テレビジョン方式委員会（Ｎａｔｉｏｎａｌ  Ｔｅｌｅｖｉｓｉｏｎ  Ｓｙｓｔｅｍ  Ｃｏｍｍｉｔｔｅｅ）（「ＮＴＳＣ」）、フェーズ・オルタネイティング・ライン（Ｐｈａｓｅ  Ａｌｔｅｒｎａｔｉｎｇ  Ｌｉｎｅ）（「ＰＡＬ」）、ＳＥＣＡＭ方式（Ｓｅｑｕｅｎｔｉａｌ  Ｃｏｌｏｕｒ  Ａｖｅｃ  Ｍｅｍｏｉｒｅ）（「ＳＥＣＡＭ」）Ｓ−ビデオ（Ｓ−ｖｉｄｅｏ）など）。カラースペースコンバータ３２２は、外部ビデオのカラーフォーマットを変更する（ＹＵＶ、ＹＣｂＣｒ、またはその他のフォーマットのＲＧＢフォーマットへの変換など）。アップスケーリングまたはダウンスケーリング部３２６は、入力形式を好適な表示形式の縮尺に合わせるために使用される。タイミング発生器３２４は、ディスプレイシステム３００の異なる部分に対してタイミング信号を発生する。電源制御器３８６は、Ｖss電圧およびＶdd電圧を受信し、ディスプレイ３６２に結合している電力線３８８などの電子デバイス３００の他の部分に対して電力を提供する。列（Ｒｏｗ）ドライバ部３４４およびデータドライバ部３４２は、ディスプレイ３６２のオンまたはオフのための出力信号（電流または電圧）を発生する。一実施形態においては、ディスプレイ３６２は、放射線放出部品のアレイを含む。図３中の矢印は、信号の経路および主方向を示している。しかし、別の実施形態においては、追加の経路、信号の逆流、または信号の２方向の流れを使用することができる。一実施形態においては、データドライバ３４２以外の図３中に示されるディスプレイシステムのすべての他の部分は従来通りであってよい。
【００６７】
図４は、一実施形態によるデータドライバ３４２のブロック図を含んでいる。図１を図４と比較してみる。一実施形態においては、データドライバ３４２内の、データ制御部１０２、アドレスシフトレジスタ１０４、データラッチ部１２２、および出力信号ドライバ１２６のそれぞれは従来通りである。図１とは異なり、第１のガンマ補正部４４２、第２のガンマ補正部４４４、および第３のガンマ補正部４４６がＤ／Ａ変換器４２４への入力を提供する。極性インバータ１４４は必要ではなく、この実施形態では省略されている。ガンマ補正部の入力を使用する処理以外では、Ｄ／Ａ変換器４２４の構造および動作は従来通りである。
【００６８】
一実施形態においては、第１のガンマ補正部４４２、第２のガンマ補正部４４４、および第３のガンマ補正部４４６のそれぞれが、１種類の放射線放出部品専用となる。たとえば、赤色放射線放出部品は、第１の有機活性層を含むことができ、第１のガンマ補正部４４２に対応させることができる。同様に、緑色放射線放出部品は、第２の有機活性層を含むことができ、第２のガンマ補正部４４４に対応させることができ、青色放射線放出部品は、第３の有機活性層を含むことができ、第３のガンマ補正部４４６に対応させることができる。それぞれの有機活性層は、他の有機活性層と比較して１つまたは複数の異なる材料を含むことができる。一実施形態においては、１つまたは複数のいずれの有機活性層も、ＯＬＥＤ産業において使用される小分子有機材料またはポリマー有機材料（これは、コポリマーを含む場合もあるし、含まない場合もある）、あるいはそれらの組み合わせを含むことができる。
【００６９】
第１のガンマ補正部４４２、第２のガンマ補正部４４４、第３のガンマ補正部４４６、またはそれらのあらゆる組み合わせは、ガンマ補正部に対するガンマ関数をほとんどあらゆるときに変更できるように構成されている。一実施形態においては、電子デバイス３００のエンドユーザーは、放射線放出部品、薄膜トランジスタ、またはそれらの組み合わせが使用により劣化したときに、ガンマ補正部に対するガンマ関数を変更することができる。また、いずれか１つのガンマ補正部に対するガンマ関数は、別のガンマ補正部のガンマ関数とは無関係に変更することができる。したがって、１つの発光体に関連する電子部品（たとえば、青色発光ＯＬＥＤおよびそれらに対応する薄膜トランジスタ）が、他の電子部品（たとえば、緑色発光ＯＬＥＤ、赤色発光ＯＬＥＤ、およびそれらの対応する薄膜トランジスタ、あるいはそれらのあらゆる組み合わせ）よりも速く劣化する場合、劣化速度の差に合わせてガンマ関数を変更することができる。
【００７０】
一実施形態においては、第１、第２、および第３のガンマ補正部４４２、４４４、および４４６のいずれか１つまたは複数が、Ｄ／Ａ変換器を含むことができる。このＤ／Ａ変換器は、加重抵抗器型（ｗｅｉｇｈｔｅｄ−ｒｅｓｉｓｔｏｒ）Ｄ／Ａ変換器、加重コンデンサ型（ｗｅｉｇｈｔｅｄ−ｃａｐａｃｉｔｏｒ）Ｄ／Ａ変換器、ポテンショメータＤ／Ａ変換器、電流モードＲ−２Ｒラダー、電圧モードＲ−２Ｒラダー、バイポーラＤ／Ａ変換器、マスタ−スレーブ型Ｄ／Ａ変換器、電流駆動Ｒ−２Ｒラダー、電圧モードセグメンテーション、電流モードセグメンテーション、その他の規則のＤ／Ａ変換器、またはそれらのあらゆる組み合わせなどの種々のアーキテクチャおよび技術のいずれか１つまたは複数で設計することができる。
【００７１】
特定の一実施形態においては、第１のガンマ補正部４４２、第２のガンマ補正部４４４、第３のガンマ補正部４４６、またはそれらのあらゆる組み合わせは、図５に示されるようなポテンショメータＤ／Ａ変換器５００であってよい。ポテンショメータＤ／Ａ変換器５００は、図５の下部付近に示されるように３ビット入力を有する。次にスイッチのバイナリツリーが、入力に対応する点を選択する。これらのスイッチはトランジスタを含む。使用可能なトランジスタの例としては、バイポーラトランジスタ（たとえば、ｎｐｎバイポーラトランジスタ、ｐｎｐバイポーラトランジスタ、またはそれらのあらゆる組み合わせ）、または電界効果トランジスタ（たとえば、接合電界効果トランジスタ（ＪＦＥＴ）、金属−絶縁体−半導体電界効果トランジスタ（ＭＩＳＦＥＴ）（たとえば、酸化金属−半導体電界効果トランジスタ（ＭＯＳＦＥＴ）、金属−窒化物−酸化物−半導体（ＭＮＯＳ）電界効果トランジスタ、または薄膜トランジスタ（「ＴＦＴ」））、あるいはそれらのあらゆる組み合わせ）、あるいは、１つまたは複数のバイポーラトランジスタあるいは１つまたは複数の電界効果トランジスタのあらゆる組み合わせが挙げられる。電界効果トランジスタは、ｎ−チャネル（チャネル領域内をｎ型キャリアが流れる）またはｐ−チャネル（チャネル領域内をｐ型キャリアが流れる）であってよい。電界効果トランジスタは、エンハンスメント型トランジスタ（チャネル領域が、ソース／ドレイン領域とは異なる導電型を有する）またはデプリーション型トランジスタ（チャネルおよびソース／ドレイン領域が、同じ導電型を有する）であってよい。１つまたは複数のｎ−チャネルトランジスタ、１つまたは複数のｐ−チャネルトランジスタ、１つまたは複数のエンハンスメント型トランジスタ、あるいは１つまたは複数のデプリーション型トランジスタの組み合わせを使用することができる。
【００７２】
特定の一実施形態においては、ポテンショメータＤ／Ａ変換器５００内の抵抗器Ｒ１〜Ｒ７は、抵抗器Ｒ１〜Ｒ７が製造されたときに設定された値を有し、したがって、後で変更することはできない。たとえば、ポテンショメータＤ／Ａ変換器５００内の抵抗器Ｒ１〜Ｒ７は、データドライバ３４２用の他の回路と同時に製造することができる。一実施形態においては、抵抗器Ｒ１〜Ｒ７の値は、ガンマ関数の初期値に対応させることができる。抵抗器Ｒ１〜Ｒ７がγ＝０．４５に合わせて設計される場合、抵抗器は以下の値を有する。
Ｒ７：Ｒ６：Ｒ５：Ｒ４：Ｒ３：Ｒ２：Ｒ１＝８０：８８：９９：１１３：１３７：１８３：５００。
【００７３】
抗器Ｒ１〜Ｒ７がγ＝２．０に合わせて設計される場合、抵抗器は以下の値を有する。
Ｒ７：Ｒ６：Ｒ５：Ｒ４：Ｒ３：Ｒ２：Ｒ１＝５２０：４４０：３６０：２８０：２２０：１２０：４０。
【００７４】
ポテンショメータＤ／Ａ変換器５００は２つのタップを有する。タップ１は、ポテンショメータＤ／Ａ変換器５００によって発生される最小Ｖoである電圧を有することができ、タップ２は、ポテンショメータＤ／Ａ変換器５００によって発生される最大Ｖoである電圧を有することができる。特定の一実施形態においては、タップ１およびタップ２によって提供される信号は電圧である。表１は、ポテンショメータＤ／Ａ変換器５００への異なる入力（ビット２：ビット１：ビット０）に対する出力信号（Ｖo）を含んでいる。
【００７５】
【表１】
2008527423.tif 000003
【００７６】
特定の一実施形態においては、タップ１、タップ２、またはその両方への１つまたは複数の信号の１つまたは複数の値は、ほとんどあらゆるときに変更可能である。タップ１、タップ２、またはその両方に提供される信号の値が変更可能であるので、タップ１およびタップ２に対する信号の間の値に対するＶoも変更可能となる。したがって、ガンマ関数（抵抗器Ｒ１〜Ｒ７に対する抵抗を選択することによって決定される）を変更しなくとも、Ｖoを変更することができる。
【００７７】
別の実施形態においては、図６中に示されるポテンショメータＤ／Ａ変換器６００を、ポテンショメータＤ／Ａ変換器５００の代わりに使用することができる。ポテンショメータＤ／Ａ変換器６００は３つ以上のタップを有する。より具体的には、ポテンショメータＤ／Ａ変換器６００は、タップ１、タップ２、およびタップ３を含む。特定の一実施形態においては、タップ１、タップ２、およびタップ３に提供される信号は電圧である。タップ１は、ポテンショメータＤ／Ａ変換器６００によって発生される最小Ｖoである電圧を有することができ、タップ２は、ポテンショメータＤ／Ａ変換器６００によって発生される最大Ｖoである有することができ、タップ３は、タップ１上およびタップ２上の電圧の間の電圧を有することができる。
【００７８】
図５中のポテンショメータＤ／Ａ変換器５００と類似しているが、一実施形態においては、ポテンショメータＤ／Ａ変換器６００内の抵抗器Ｒ１〜Ｒ７は、抵抗器Ｒ１〜Ｒ７が製造されたときに設定された値を有し、したがって、前述したように後で変更することはできない。一実施形態においては、抵抗器Ｒ１〜Ｒ７の値は、ポテンショメータＤ／Ａ変換器５００（２つのタップ）と同様に、ガンマ関数の初期値に対応させることができる。表２は、ポテンショメータＤ／Ａ変換器６００への異なる入力（ビット２：ビット１：ビット０）に対する出力信号（Ｖo）を含んでいる。
【００７９】
【表２】
2008527423.tif 000004
【００８０】
ポテンショメータＤ／Ａ変換器５００と同様に、タップ１およびタップ２に提供される１つまたは複数の信号の１つまたは複数の値は、ポテンショメータＤ／Ａ変換器６００とともに変更することができる。
【００８１】
別の特定の実施形態においては、タップ１およびタップ２への信号の値は変更されない。しかし、タップ３への信号の値は、ほとんどあらゆるときに変更することができる。タップ３に提供される信号の値を変更できるので、タップ１およびタップ２に対する信号の間の値に対するＶoも変更可能となる。図７は、タップ３上の信号を変更することによりガンマ関数を変更できることを示している（図７中の矢印によって示されている）。図７中、黒丸はγ＝０．４５の場合であり、白丸はγ＝２．０の場合である。タップ１、タップ２、およびタップ３のそれぞれの場合で、白丸は黒丸上に重なっている（図７中の入力デジタルデータ＝０、７、および３をそれぞれ参照されたい）。タップ３上の信号の変化を使用することによって、抵抗器Ｒ１〜Ｒ７のいずれの値を変更しなくても、ガンマ関数を変更することができる。したがって、最小Ｖo、最大Ｖo、ガンマ関数、またはそれらのあらゆる組み合わせを変更する場合に、ポテンショメータＤ／Ａ変換器６００を使用することができる。
【００８２】
さらに別の実施形態においては、１つまたは複数の追加のタップを提供することができる。図８は、ポテンショメータＤ／Ａ変換器８００の別の設計の説明図を含んでいる。ポテンショメータＤ／Ａ変換器６００と比較すると、ポテンショメータＤ／Ａ変換器８００は、Ｒ５とＲ６との間にあるタップ４を含む。あるいは、タップ４は別の位置に配置することもできる。たとえば、タップ４、他の場合にはタップに接続されていない任意の２つの抵抗器の間に接続することができる（タップ３は、Ｒ３とＲ４との間に既に存在する）。タップ４は、Ｒ１とＲ２との間、Ｒ２とＲ３との間、Ｒ４とＲ５との間、Ｒ５とＲ６との間（図８参照）、あるいはＲ６とＲ７との間に配置することができる。別の追加のタップを使用することもできるが、図８中には示していない。
【００８３】
ほとんどあらゆる数のタップ（タップ１、タップ２、タップ３、タップ４、その他のタップ、またはそれらのあらゆる組み合わせ）を使用することで、外部エレクトロニクスによってタップへの信号の値を制御することができる。本明細書を読めば、当業者には、タップ上の信号の値を調整することによってガンマ関数（図７参照）を変更できることが分かるであろう。タップ１、タップ２、タップ３、タップ４、または複数のタップの任意の組み合わせによって提供される信号の値は、電子デバイスの製造後などのほとんどあらゆるときに変更することができる。
【００８４】
（３．ガンマ関数の変更）
一実施形態においては、ディスプレイ３６２は、放射線放出部品のアレイを含む。この放射線放出部品は、青色発光部品（第１のガンマ補正部４４２に対応）、緑色発光部品（第２のガンマ補正部４４４に対応）、および赤色発光部品（第３のガンマ補正部４４６に対応）を含むことができる。第１の期間中、第１、第２、および第３のガンマ補正部４４２、４４４、および４４６のそれぞれが、第１、第２、および第３のガンマ関数を有する。このアレイは、第１、第２、および第３のガンマ関数が使用される第１の期間中に動作される。このディスプレイは、品質保証の一部として製造後に電子デバイス３００の試験者が使用することができるし、品質保証の一部として電子デバイス３００の製造元の顧客が使用することができるし、電子デバイス３００のエンドユーザーが使用することができるし、あるいはほぼあらゆる人物が使用することができる。
【００８５】
第１の期間の後、第１、第２、および第３のガンマ関数の１つまたは複数は、異なる値に変更される。したがって、第１、第２、または第３のガンマ関数の１つ、２つ、または３つすべてを変更することができる。この変更は、ディスプレイ３６２の劣化または条件の変化を補償するために行うことができる。これらのガンマ関数は、ガンマ補正部４４２、４４４、４４６、またはそれらのあらゆる組み合わせに対してタップ１、タップ２、タップ３などの任意の１つまたは複数を変更することによって変更することができる。タップ１上の信号を変更すると最小Ｖoに影響し、タップ２は最大Ｖoに影響し、中間のタップが存在する場合は、それらはガンマ値を効率的に変化させる。したがって、いずれかのタップ上のいずれかの信号を変更すると、その影響を受けたガンマ補正部に対するガンマ関数が変更される。
【００８６】
第１、第２、または第３のガンマ補正部４４２、４４４、または４４６に対するガンマ関数は、他のガンマ補正部とは無関係に変更可能であるので、強度およびカラーバランスをより十分に制御することができる。本発明のアレイは、１つまたは複数の変更したガンマ関数をガンマ補正部から使用して、第１の期間中に使用した１つまたは複数のガンマ関数をガンマ補正部から使用して、またはそれらの組み合わせを使用して、第２の期間中に動作させることができる。
【００８７】
（４．ソフトウェア／ハードウェア／ファームウェア）
上述の方法は、ソフトウェア、ハードウェア、ファームウェア、またはそれらのあらゆる組み合わせの中で実現することができる。図９は、図１に関して前述したディスプレイ３６２を含む電子デバイス３００の説明図を含んでいる。電子デバイス３００は、ディスプレイ３６２に双方向性結合したデータ処理システム９１０、および放射線検出電子デバイス９６２も含んでいる。この実施形態においては、放射線検出電子デバイス９６２は、電子デバイス３００とは物理的に離れている。一実施形態においては、放射線検出電子デバイス９６２はデジタルカメラである。別の実施形態においては、電子デバイス３００が１つまたは複数の放射線検出部品を含む。
【００８８】
データ処理システム９１０は、中央処理装置（「ＣＰＵ」）９２０、ならびに１つまたは複数の読み出し専用（「ＲＯＭ」）９２２、およびランダムアクセスメモリ（「ＲＡＭ」）９２４を含む。データ処理システム９１０は、第１、第２、および第３のガンマ補正部４４２、４４４、および４４６に双方向性結合している。特定の一実施形態においては、ＣＰＵ９２０は、第１、第２、および第３のガンマ補正部４４２、４４４、および４４６に双方向性結合している。
【００８９】
電子デバイス３００は、１つまたは複数の入力／出力ポート（「Ｉ／Ｏ」）９４２も含む。Ｉ／Ｏ９４２に接合可能なデバイスとしては、ハードディスク（「ＨＤ」）９６４、キーボード、モニタ、プリンタ、電子ポインティングデバイス（たとえば、マウス、トラックボールなど）などの任意の１つまたは複数を含むことができる。図示される実施形態においては、Ｉ／Ｏ９４２は、ＣＰＵ９２０、放射線検出電子デバイス９６２、およびＨＤ９６４に双方向性結合している。
【００９０】
多くの別の実施形態も可能である。一実施形態においては、ディスプレイ３６２は、複数の放射線検出部品を含むセンサーアレイと交換することができ、放射線検出電子デバイス９６２は、１つまたは複数の放射線源を含む別の電子デバイスと交換することができる。
【００９１】
別の実施形態においては、データ処理システム９１０の一部またはすべてが、電子デバイス３００の外側にあってもよいし、そうでなくてもよい。たとえば、データ処理システム９１０は、パーソナルコンピュータまたはサーバーコンピュータであってよい。ハードウェア、ソフトウェア、ファームウェア、またはそれらのあらゆる組み合わせの実際の構成は、実際の電子デバイスに一部は依存しうる。たとえば、電子デバイス３００は、携帯情報端末、ラップトップコンピュータ、ポケットベル、移動電話（たとえば、携帯電話）などを含むことができる。したがって、電子デバイス３００は、ＨＤ９６４を含む場合も含まない場合もある。さらに別の実施形態においては、Ｉ／Ｏ９２８にあるポートを介して電子デバイス３００にデータベース（図示せず）を接続することができ、それによって場合によりＨＤ９６４を不要にすることができる。
【００９２】
本明細書を読めば、多くの他の構成が可能であり、それらすべてを列挙することはほぼ不可能であることが当業者には分かるであろう。また、データ処理システム９１０またはその変形の１つを、前述した他のディスプレイおよびセンサー構成とともに使用することができる。
【００９３】
本明細書に記載される方法は、ＲＯＭ９２２、ＲＡＭ９２４、ＨＤ９６４、またはそれらのあらゆる組み合わせの中に存在することができる好適なソフトウェアコード中で実行することができる。前述の種類の記憶装置に加えて、一実施形態中の命令は、異なるデータ処理システム読み取り可能な記憶媒体上に格納することができる。あるいは、これらの命令は、ストレージエリアネットワーク、磁気テープ、フロッピーディスク、読み出し専用電子メモリ、光学式記憶装置、ＣＤ−ＲＯＭ、その他の適切なデータ処理システム読み取り可能な記録媒体または記憶装置、あるいはそれらのあらゆる組み合わせの中にソフトウェアコードとして格納することができる。本明細書に記載される記憶装置は、ＣＰＵ９２０によって読み取り可能な記録媒体を含むことができる。したがって、各記憶装置は、データ処理システム読み取り可能な記録媒体を含む。本明細書の目的においては、ファームウェアはデータ処理システム読み取り可能な記録媒体と見なされる。
【００９４】
本明細書に記載される方法の一部は、その方法を実施するための命令を含む好適なソフトウェアコード中で実行することができる。一実施形態においては、これらの命令は、ソースコード、オブジェクトコード、またはアセンブリコードの行であってよい。特定の一実施形態においては、これらの命令は、コンパイルされたＣ++、Ｊａｖａ、またはその他の言語のコードの行であってよい。このコードは、１つまたは複数のデータ処理システム読み取り可能な記録媒体内に格納することができる。
【００９５】
データ処理システム９１０の機能は、データ処理システム９１０と実質的に同じ別の装置によって、またはコンピュータ、サーバーブレードなどによって、少なくとも部分的に実施することができる。さらに、このようなコードを有するソフトウェアは、２つ以上のデータ処理システム中の２つ以上のデータ処理システム読み取り可能な記録媒体中に組み入れることができる。
【００９６】
本発明の電子デバイス３００内の通信、または本発明の電子デバイスと放射線検出電子デバイス９６２などの他の電子デバイスとの間の通信は、無線周波数、電子信号、または光信号を使用して行うことができる。電子デバイス３００の近くにユーザーがいる場合、電子デバイス３００は、ユーザーに対して情報伝達を行うときに、信号を人間の理解できる形態に変換することができ、ユーザーからの入力を、電子デバイス３００によって使用される適切な信号に変換することができる。
【００９７】
これまで多くの方法およびその変形を説明してきた。図１０は、使用可能な一実施形態のフローチャートを含んでいる。データ処理システム９１０は、活動に対応する命令を含むことができるコードを介してフローチャート内の活動を実行するようにプログラムすることができる。このコードは、第１の期間中にアレイを動作させるための命令を含むことができ、第１の期間中にガンマ補正部に対して第１のガンマ関数が使用される（図１０中のブロック１０２２）。このガンマ補正部は、ガンマ補正部４４２、４４４、および４４６のいずれか１つまたは複数であってよい。それぞれは、同種であってもよいし互いと比較して異なっていてもよい独自の第１のガンマ関数を有することができる。第１の期間中のアレイの動作中、アレイ内の各種電子部品を個別に試験することができる。たとえば、データは、青色発光部品のみアクティブである場合、緑色発光部品のみアクティブである場合、または赤色発光部品のみアクティブである場合に収集することができる。
【００９８】
一実施形態においては、これらの情報を、アレイが作動している間に集められたデータに対応させる。図９を参照すると、一実施形態においては、放射線９８２は、ディスプレイ３６２によって放出され、放射線検出電子デバイス９６２によって受け取られる。これらのデータは、放射線検出電子デバイス９６２によって収集することができる。放射線検出電子デバイス９６２からのデータは、電子デバイス３００のＩ／Ｏ９４２に送られて受信される。これらのデータは、ＲＯＭ９２２、ＲＡＭ９２４、ＨＤ９６４、または図９中に示されていない別の要素（たとえばデータベース）中に記憶させることができる。
【００９９】
ＣＰＵ９２０は、第１の期間中に収集されたデータにアクセスすることができ、ガンマ補正部４４２、４４４、および４４６のいずれか１つまたは複数によって使用される最新のガンマ関数のデータにアクセスすることができる。一実施形態においては、ガンマ補正部４４２、４４４、および４４６に対応するデータは、ガンマ補正部４４２、４４４、および４４６に対するタップ上の信号を含む。出力信号の数学的記述（たとえば、前述の表１または表２）にもアクセスすることができる。アクセスは、収集したデータの取得、または記憶装置（たとえば、ＲＯＭ９２２、ＲＡＭ９２４、ＨＤ９６４、データベース、ストレージエリアネットワークなど）からのそのようなデータの検索を含むことができる。したがって、「アクセス」は広い意味で解釈すべきである。
【０１００】
本発明のコードは、第１のガンマ関数を、第１のガンマ関数とは異なる第２のガンマ関数に変更するための命令（ブロック１０４２）も含むことができる。一実施形態においては、ＣＰＵ９２０は、青色発光部品が、緑色発光部品および赤色発光部品よりも速い速度で劣化しうることを検出することができる。第１のガンマ補正部４４２の場合、第１のガンマ関数が第２のガンマ関数に変更される。一実施形態においては、青：緑：赤の最大出力強度の比は１：２：１である。この実施形態においては、第２のガンマ補正部４４４、第３のガンマ補正部４４６、またはその両方に対する第１のガンマ関数を変更することもできる。一実施形態においては、ガンマ補正関数の変更は、ガンマ補正部４４２、４４４、または４４６のいずれか１つまたは複数に対するいずれか１つまたは複数のタップ（たとえば、タップ１、タップ２、タップ３、など）上の信号を変更する単純なものであってよい。
【０１０１】
本発明のコードは、第２の期間中にアレイを動作させるための命令をさらに含むことができ、第２の期間中にガンマ補正部に対して第２のガンマ関数が使用される（ブロック１０６２）。希望するなら、動作ステップとガンマ関数を変更するステップとの間を繰り返すことで、本発明の方法を続けることができる。
【０１０２】
本明細書に記載される方法は、人間が介入することなく自動的に実行することができる。別の実施形態においては、電子デバイス３００は、ガンマ補正部４４２、４４４、または４４６のいずれか１つまたは複数に対するいずれか１つまたは複数のガンマ補正関数を変更すべきかを電子デバイス３００のユーザーに要求することができる。
【０１０３】
（３．その他の実施形態）
本明細書に記載される概念は、画像を出力するほとんどあらゆる電子デバイスに拡張することができる。電子デバイスの例としては、ディスプレイまたはプリンタを挙げることができる。このディスプレイは、アクティブマトリックス型でもパッシブマトリックス型でもよい。このディスプレイは、有機放射線放出部品、無機放射線放出部品（たとえば無機ＬＥＤ）、またはそれらの組み合わせを含むことができる。放射線放出電子部品は、可視光スペクトルの外にある放射線（たとえば、ＵＶまたはＩＲ）を放出してもよい。
【０１０４】
ガンマ補正部に対して多くの異なる設計も提供されている。本発明の範囲は、抵抗器およびスイッチを有し、電圧を信号として使用して動作するガンマ補正部に限定されるものではない。多くの他の設計も可能であり、他の種類の信号（たとえば、電流、光信号など）または複数の信号の組み合わせに対して動作することが可能である。
【０１０５】
本発明の概念は、ガンマ補正部への入力をほとんどあらゆるビット数まで拡張することもできる。電子部品（たとえば、抵抗器、スイッチなど）およびタップの数は、入力に含まれるビット数に一部は依存しうる。ＯＬＥＤ産業においては、ディスプレイとともに８ビットデータストリームが一般的に使用されている。将来は、さらに広い幅（より多くのビット数）の入力データが使用されるであろう。
【０１０６】
別の実施形態においては、出力信号ドライバおよび走査線の方向を反転させることができる。各出力信号ドライバは、ピクセルの行に結合することができ、各走査線はピクセルの列に結合することができる。方向とは無関係に、出力信号ドライバおよび走査線は、実質的に同じ方法で動作する。
【０１０７】
本明細書に記載される方法の一部またはすべては、ハードウェア、ソフトウェア、ファームウェア、またはそれらのあらゆる組み合わせの中で実現することができる。ソフトウェアの場合、本発明の方法に対応する命令は、アセンブリコード、あるいはコンパイルされたＣ++、Ｊａｖａ、またはその他の言語のコードの行であってよい。このコードは、データ処理読み取り可能な記録媒体、ハードディスク、磁気テープ、フロッピーディスク、光学式記憶装置、ネットワークストレージ装置、ランダムアクセスメモリ、あるいはその他の適切なデータ処理システム読み取り可能な記録媒体または記憶装置の上に存在することができる。データ処理システム読み取り可能な記録媒体は、コンピュータ、マイクロプロセッサ、マイクロコントローラなどのデータ処理システムによって読み取ることができる。
【０１０８】
（４．利点）
第１、第２、および第３のガンマ補正部４４２、４４４、および４４６のいずれか１つまたは複数の設計は、時間がたてばガンマ関数を変更できるように選択することができる。さらに、いずれかのガンマ補正部に対するガンマ関数は、他のガンマ補正部のガンマ関数とは無関係に変更することができる。したがって、ほとんどあらゆるときにガンマ関数を調整できるので、ディスプレイ３６２を使用して見た場合により良い光強度の最適化およびカラーバランスの改善を促進することができる。
【０１０９】
一般的説明または実施例において前述したすべての行為が必要となるわけではなく、特定の行為の一部は不要である場合もあり、前述の行為に加えて１つまたは複数のさらなる行為を実施できることに留意されたい。さらに、列挙した行為の順序は、それらが実施される順序を必ずしも表すものではない。本明細書を読めば、当業者であれば、具体的な要求または希望のためにどの行為を使用すればよいかを決定することができる。
【０１１０】
以上の本明細書において、特定の実施形態を参照しながら本発明の概念を説明してきた。しかし、当業者には理解できるように、特許請求の範囲に記載される本発明の範囲から逸脱しない１つまたは複数の修正あるいは１つまたは複数のその他の変形を行うことができる。したがって、本明細書および図面は、限定的ではなく説明的な意義があると見なすべきであり、このような修正およびその他の変形のいずれかおよびすべてが、本発明の範囲内に含まれることを意図している。
【０１１１】
１つまたは複数の特定の実施形態に関して、１つまたは複数の利益、１つまたは複数のその他の利点、１つまたは複数の問題に対する１つまたは複数の解決法、あるいはそれらのあらゆる組み合わせを、以上に説明してきた。しかし、これらの利益、利点、問題の解決法、ならびに、なんらかの利益、利点、または解決法を発生させたり、より顕著となったりすることがある、あらゆる要素が、特許請求の範囲のいずれかまたはすべての重要、必要、または本質的な特徴または要素として構成されるものではない。
【０１１２】
明確にするため、別々の実施態様の状況で、前述または後述される本発明の特定の特徴は、１つの実施態様において組み合わせて提供することもできることを理解されたい。逆に、簡潔にするため、１つの実施態様の状況で説明される本発明の種々の特徴を、別々に提供したり、あらゆる小さな組み合わせで提供したりすることもできる。さらに、ある範囲において記載される値への言及は、その範囲内にあるすべての値を含んでいる。
【図面の簡単な説明】
【０１１３】
【図１】従来のデータドライバのブロック図を含んでいる（先行技術）。
【図２】異なるガンマ値に対応する異なるガンマ関数の図を含んでいる（先行技術）。
【図３】一実施形態によるディスプレイシステムのブロック図を含んでいる。
【図４】ガンマ補正部を含むデータドライバのブロック図を含んでいる。
【図５】図４のデータドライバのためのガンマ補正部内で使用できるポテンショメータＤ／Ａ変換器の回路図を含んでいる。
【図６】図４のデータドライバのためのガンマ補正部内で使用できる別のポテンショメータＤ／Ａ変換器の回路図を含んでいる。
【図７】図６のポテンショメータＤ／Ａ変換器に対する入力信号の関数としての出力信号のプロットを含んでいる。
【図８】図４のデータドライバのためのガンマ補正部内で使用できる別のポテンショメータＤ／Ａ変換器の回路図を含んでいる。
【図９】データ処理システムを含む電子デバイスの概略的ダイアグラムの図を含んでいる。
【図１０】図９のデータ処理システムによって少なくとも一部を実行できる活動のフローダイアグラムを含んでいる。
【図１】
2008527423.tif 000005
【図２】
2008527423.tif 000006
【図３】
2008527423.tif 000007
【図４】
2008527423.tif 000008
【図５】
2008527423.tif 000009
【図６】
2008527423.tif 000010
【図７】
2008527423.tif 000011
【図８】
2008527423.tif 000012
【図９】
2008527423.tif 000013
【図１０】
2008527423.tif 000014
【国際調査報告】
2008527423.tif 000015